【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
所定の商品と交換可能な交換価値として使用できるポイントの蓄積、及び使用を、ポイントの付与対象であるユーザに設定されたポイント管理ＩＤ情報ごとに管理するポイント管理装置と、
電子マネーに関する情報処理を行う電子マネー管理装置と、の通信機能を備えた情報処理装置であって、
貨幣価値の金額を表した電子情報であって、前記金額の増減により貨幣価値の移動を生じさせる電子マネーを記憶し、所定のコマンドを実行して前記記憶した電子マネーの金額を加減算し、第１の電子マネー機能ＩＤ情報によって特定可能な電子マネー処理機能と、ポイント管理ＩＤ情報によって特定可能なポイントカード機能を備えた単一のＩＣカードと、
電子マネー処理機能を組み込む処理である発券を行うことにより、前記電子マネー処理機能を備え、前記発券に対応して設定された第２の電子マネー機能ＩＤ情報により特定可能な携帯端末と、
に対して発行されるポイント数を前記ポイント管理装置から前記通信機能を用いて受領するポイント数受領手段と、
第１の電子マネー機能ＩＤ情報と、ポイント管理ＩＤ情報と、を各ＩＣカードごとに対応付けて登録しておき、且つ前記設定された第２の電子マネー機能ＩＤ情報により特定可能な携帯端末を登録しておくデータベースと、
前記携帯端末から、当該携帯端末に対して設定された第２の電子マネー機能ＩＤ情報とポイント管理ＩＤ情報と、を対応付けて受領するＩＤ情報受領手段と、
前記ＩＤ情報受領手段で受領した第２の電子マネー機能ＩＤ情報とポイント管理ＩＤ情報を基に、前記データベースに登録されているポイント管理ＩＤ情報を検索することにより、前記ＩＤ情報受領手段で受領した第２の電子マネー機能ＩＤ情報と前記データベースに登録されている第１の電子マネー機能ＩＤ情報とをポイント管理ＩＤ情報を介して互いに紐付ける紐付け手段と、
を具備したことを特徴とする情報処理装置。
【請求項２】
前記ポイント数受領手段で受領した、前記第１の電子マネー機能ＩＤ情報で特定されるポイント数と、前記第２の電子マネー機能ＩＤ情報で特定されるポイント数とを、前記紐付け手段で互いに紐付けられた当該ポイント管理ＩＤ情報ごとに統合して、前記通信機能により、前記ポイント管理装置に送信することを特徴とする請求項１記載の情報処理装置。
【請求項３】
前記ポイント数受領手段で受領したポイント数に対し、前記紐付け手段で当該ポイント管理ＩＤ情報に紐付けされた第２の電子マネー機能ＩＤ情報で特定される携帯端末、及び第１の電子マネー機能ＩＤ情報で特定されるＩＣカードの何れに対しても加算が可能な電子マネーの金額に変換する変換手段、
を具備したことを特徴とする請求項１記載の情報処理装置。
【請求項４】
前記携帯端末か前記ＩＣカードかの選択情報を受領する選択情報受領手段をさらに具備し、
前記変換手段は、前記選択情報受領手段で受領した選択情報を基に、前記変換した電子マネーの金額の加算先を決定して出力することを特徴とする請求項３記載の情報処理装置。
【請求項５】
前記変換手段によりポイントを電子マネーの金額に変換する際、変換するポイント数の設定を受け付ける変換ポイント数設定手段をさらに備えたことを特徴とする請求項３または請求項４記載の情報処理装置。
【請求項６】
前記変換手段によりポイントを電子マネーの金額に変換する際、変換するポイントの変換率の設定を受け付ける変換ポイント率設定手段をさらに備えたことを特徴とする請求項３、請求項４または請求項５記載の情報処理装置。
【請求項７】
所定の商品と交換可能な交換価値として使用できるポイントの蓄積、及び使用を、ポイントの付与対象であるユーザに設定されたポイント管理ＩＤ情報ごとに管理するポイント管理装置であって、
電子マネーに関する情報処理を行う電子マネー管理装置と、
前記電子マネー管理装置から、電子マネー処理機能を組み込む処理である発券を行うことにより、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、前記発券に対応して設定された第２の電子マネー機能ＩＤ情報により特定可能な携帯端末と、
に対してネットワークを介して通信する通信機能を備え、
前記電子マネー管理装置から、携帯端末に対しての発券に対応して設定された第２の電子マネー機能ＩＤ情報を前記通信機能を介して受信する受信手段と、
前記受信手段で受信した、前記設定された第２の電子マネー機能ＩＤ情報により特定可能な携帯端末を登録し、且つ、単一のＩＣカードに電子マネーを処理する機能とポイントカードとしての機能を備えさせるため、当該ＩＣカードに予め付与された第１の電子マネー機能ＩＤ情報とポイント管理ＩＤ情報とを各ＩＣカードごとに対応付けて登録しておくデータベースと、
前記通信機能を介してアクセスしてきた携帯端末に付与されている第２の電子マネー機能ＩＤ情報と入力されたポイント管理ＩＤ情報とを対応付けて取得するＩＤ情報取得手段と、
前記ＩＤ情報取得手段で取得した第２の電子マネー機能ＩＤ情報とポイント管理ＩＤ情報を基に、前記データベースに登録されているポイント管理ＩＤ情報を検索することにより、前記ＩＤ情報取得手段で取得した第２の電子マネー機能ＩＤ情報と前記データベースに登録されている第１の電子マネー機能ＩＤ情報とをポイント管理ＩＤ情報を介して互いに紐付ける紐付け手段と、
を具備したことを特徴とするポイント管理装置。
【請求項８】
前記紐付けされたポイント管理ＩＤ情報に対して付与されたポイント数を取得し、前記紐付け手段で当該ポイント管理ＩＤ情報に紐付けされた第２の電子マネー機能ＩＤ情報で特定される携帯端末、及び第１の電子マネー機能ＩＤ情報で特定されるＩＣカードの何れに対しても加算が可能な電子マネーの金額に変換する変換手段、
を具備したことを特徴とする請求項７記載のポイント管理装置。
【請求項９】
前記携帯端末か前記ＩＣカードかの選択情報を受領する選択情報受領手段をさらに具備し、
前記変換手段は、前記選択情報受領手段で受領した選択情報を基に、前記変換した電子マネーの金額の加算先を決定して出力することを特徴とする請求項８記載のポイント管理装置。
【請求項１０】
前記変換手段によりポイントを電子マネーの金額に変換する際、変換するポイント数の設定を受け付ける変換ポイント数設定手段をさらに備えたことを特徴とする請求項８または請求項９記載のポイント管理装置。
【請求項１１】
前記変換手段によりポイントを電子マネーの金額に変換する際、変換するポイントの変換率の設定を受け付ける変換ポイント率設定手段をさらに備えたことを特徴とする請求項８、請求項９または請求項１０記載のポイント管理装置。
【請求項１２】
所定の商品と交換可能な交換価値として使用できるポイントの蓄積、及び使用を、ポイントの付与対象であるユーザに設定されたポイント管理ＩＤ情報ごとに管理するポイント管理装置と、
電子マネー処理機能を組み込む処理である発券を行うことにより、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、
前記電子マネー処理機能の発券に対応して設定された第２の電子マネー機能ＩＤ情報により特定可能な携帯端末と、
に対してネットワークを介して通信する通信機能を備え、
単一のＩＣカードに電子マネーを処理する機能と、ポイントカードとしての機能を備えさせるため、当該ＩＣカードに予め付与された第１の電子マネー機能ＩＤ情報とポイント管理ＩＤ情報とを各ＩＣカードごとに対応付けて登録しておき、且つ前記設定された第２の電子マネー機能ＩＤ情報により特定可能な携帯端末を登録しておくデータベースをさらに備え、
前記ポイント管理ＩＤ情報で管理されるポイントを、電子マネーに変換する情報処理システムで使用する情報処理装置であって、
前記ポイント管理装置から、当該ポイント管理装置にアクセスした携帯端末に付与されている第２の電子マネー機能ＩＤ情報と入力されたポイント管理ＩＤ情報とを対応付けて受領するＩＤ情報受領手段と、
前記ＩＤ情報受領手段で受領した第２の電子マネー機能ＩＤ情報とポイント管理ＩＤ情報を基に、前記データベースに登録されているポイント管理ＩＤ情報を検索することにより、前記ＩＤ情報受領手段で受領した第２の電子マネー機能ＩＤ情報と前記データベースに登録されている第１の電子マネー機能ＩＤ情報とをポイント管理ＩＤ情報を介して互いに紐付ける紐付け手段と、
前記第１の電子マネー機能ＩＤ情報で特定され、電子マネー処理機能を用いることにより新たに発生したポイント数と、前記第２の電子マネー機能ＩＤ情報で特定され、電子マネー処理機能を用いることにより新たに発生したポイント数とを、前記紐付け手段で互いに紐付けられた当該ポイント管理ＩＤ情報ごとに統合して、前記通信機能により、前記ポイント管理装置に送信することを特徴とする情報処理装置。
【手続補正２】
【補正対象書類名】明細書
【補正対象項目名】発明の名称
【補正方法】変更
【補正の内容】
【発明の名称】情報処理装置、及びポイント管理装置
【手続補正３】
【補正対象書類名】明細書
【補正対象項目名】００１０
【補正方法】変更
【補正の内容】
【００１０】
本発明は、前記目的を達成するために、請求項１に記載の発明では、所定の商品と交換可能な交換価値として使用できるポイントの蓄積、及び使用を、ポイントの付与対象であるユーザに設定されたポイント管理ＩＤ情報ごとに管理するポイント管理装置と、電子マネーに関する情報処理を行う電子マネー管理装置と、の通信機能を備えた情報処理装置であって、貨幣価値の金額を表した電子情報であって、前記金額の増減により貨幣価値の移動を生じさせる電子マネーを記憶し、所定のコマンドを実行して前記記憶した電子マネーの金額を加減算し、第１の電子マネー機能ＩＤ情報によって特定可能な電子マネー処理機能と、ポイント管理ＩＤ情報によって特定可能なポイントカード機能を備えた単一のＩＣカードと、電子マネー処理機能を組み込む処理である発券を行うことにより、前記電子マネー処理機能を備え、前記発券に対応して設定された第２の電子マネー機能ＩＤ情報により特定可能な携帯端末と、に対して発行されるポイント数を前記ポイント管理装置から前記通信機能を用いて受領するポイント数受領手段と、第１の電子マネー機能ＩＤ情報と、ポイント管理ＩＤ情報と、を各ＩＣカードごとに対応付けて登録しておき、且つ前記設定された第２の電子マネー機能ＩＤ情報により特定可能な携帯端末を登録しておくデータベースと、前記携帯端末から、当該携帯端末に対して設定された第２の電子マネー機能ＩＤ情報とポイント管理ＩＤ情報と、を対応付けて受領するＩＤ情報受領手段と、前記ＩＤ情報受領手段で受領した第２の電子マネー機能ＩＤ情報とポイント管理ＩＤ情報を基に、前記データベースに登録されているポイント管理ＩＤ情報を検索することにより、前記ＩＤ情報受領手段で受領した第２の電子マネー機能ＩＤ情報と前記データベースに登録されている第１の電子マネー機能ＩＤ情報とをポイント管理ＩＤ情報を介して互いに紐付ける紐付け手段と、を具備したことを特徴とする情報処理装置を提供する。
請求項２に記載の発明では、前記ポイント数受領手段で受領した、前記第１の電子マネー機能ＩＤ情報で特定されるポイント数と、前記第２の電子マネー機能ＩＤ情報で特定されるポイント数とを、前記紐付け手段で互いに紐付けられた当該ポイント管理ＩＤ情報ごとに統合して、前記通信機能により、前記ポイント管理装置に送信することを特徴とする請求項１記載の情報処理装置を提供する。
請求項３に記載の発明では、前記ポイント数受領手段で受領したポイント数に対し、前記紐付け手段で当該ポイント管理ＩＤ情報に紐付けされた第２の電子マネー機能ＩＤ情報で特定される携帯端末、及び第１の電子マネー機能ＩＤ情報で特定されるＩＣカードの何れに対しても加算が可能な電子マネーの金額に変換する変換手段、を具備したことを特徴とする請求項１記載の情報処理装置を提供する。
請求項４に記載の発明では、前記携帯端末か前記ＩＣカードかの選択情報を受領する選択情報受領手段をさらに具備し、前記変換手段は、前記選択情報受領手段で受領した選択情報を基に、前記変換した電子マネーの金額の加算先を決定して出力することを特徴とする請求項３記載の情報処理装置を提供する。
請求項５に記載の発明では、前記変換手段によりポイントを電子マネーの金額に変換する際、変換するポイント数の設定を受け付ける変換ポイント数設定手段をさらに備えたことを特徴とする請求項３または請求項４記載の情報処理装置を提供する。
請求項６に記載の発明では、前記変換手段によりポイントを電子マネーの金額に変換する際、変換するポイントの変換率の設定を受け付ける変換ポイント率設定手段をさらに備えたことを特徴とする請求項３、請求項４または請求項５記載の情報処理装置を提供する。
請求項７に記載の発明では、所定の商品と交換可能な交換価値として使用できるポイントの蓄積、及び使用を、ポイントの付与対象であるユーザに設定されたポイント管理ＩＤ情報ごとに管理するポイント管理装置であって、電子マネーに関する情報処理を行う電子マネー管理装置と、前記電子マネー管理装置から、電子マネー処理機能を組み込む処理である発券を行うことにより、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、前記発券に対応して設定された第２の電子マネー機能ＩＤ情報により特定可能な携帯端末と、に対してネットワークを介して通信する通信機能を備え、前記電子マネー管理装置から、携帯端末に対しての発券に対応して設定された第２の電子マネー機能ＩＤ情報を前記通信機能を介して受信する受信手段と、前記受信手段で受信した、前記設定された第２の電子マネー機能ＩＤ情報により特定可能な携帯端末を登録し、且つ、単一のＩＣカードに電子マネーを処理する機能とポイントカードとしての機能を備えさせるため、当該ＩＣカードに予め付与された第１の電子マネー機能ＩＤ情報とポイント管理ＩＤ情報とを各ＩＣカードごとに対応付けて登録しておくデータベースと、前記通信機能を介してアクセスしてきた携帯端末に付与されている第２の電子マネー機能ＩＤ情報と入力されたポイント管理ＩＤ情報とを対応付けて取得するＩＤ情報取得手段と、前記ＩＤ情報取得手段で取得した第２の電子マネー機能ＩＤ情報とポイント管理ＩＤ情報を基に、前記データベースに登録されているポイント管理ＩＤ情報を検索することにより、前記ＩＤ情報取得手段で取得した第２の電子マネー機能ＩＤ情報と前記データベースに登録されている第１の電子マネー機能ＩＤ情報とをポイント管理ＩＤ情報を介して互いに紐付ける紐付け手段と、を具備したことを特徴とするポイント管理装置を提供する。
請求項８に記載の発明では、前記紐付けされたポイント管理ＩＤ情報に対して付与されたポイント数を取得し、前記紐付け手段で当該ポイント管理ＩＤ情報に紐付けされた第２の電子マネー機能ＩＤ情報で特定される携帯端末、及び第１の電子マネー機能ＩＤ情報で特定されるＩＣカードの何れに対しても加算が可能な電子マネーの金額に変換する変換手段、を具備したことを特徴とする請求項７記載のポイント管理装置を提供する。
請求項９に記載の発明では、前記携帯端末か前記ＩＣカードかの選択情報を受領する選択情報受領手段をさらに具備し、前記変換手段は、前記選択情報受領手段で受領した選択情報を基に、前記変換した電子マネーの金額の加算先を決定して出力することを特徴とする請求項８記載のポイント管理装置を提供する。
請求項１０に記載の発明では、前記変換手段によりポイントを電子マネーの金額に変換する際、変換するポイント数の設定を受け付ける変換ポイント数設定手段をさらに備えたことを特徴とする請求項８または請求項９記載のポイント管理装置を提供する。
請求項１１に記載の発明では、前記変換手段によりポイントを電子マネーの金額に変換する際、変換するポイントの変換率の設定を受け付ける変換ポイント率設定手段をさらに備えたことを特徴とする請求項８、請求項９または請求項１０記載のポイント管理装置を提供する。
請求項１２に記載の発明では、所定の商品と交換可能な交換価値として使用できるポイントの蓄積、及び使用を、ポイントの付与対象であるユーザに設定されたポイント管理ＩＤ情報ごとに管理するポイント管理装置と、電子マネー処理機能を組み込む処理である発券を行うことにより、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、前記電子マネー処理機能の発券に対応して設定された第２の電子マネー機能ＩＤ情報により特定可能な携帯端末と、に対してネットワークを介して通信する通信機能を備え、単一のＩＣカードに電子マネーを処理する機能と、ポイントカードとしての機能を備えさせるため、当該ＩＣカードに予め付与された第１の電子マネー機能ＩＤ情報とポイント管理ＩＤ情報とを各ＩＣカードごとに対応付けて登録しておき、且つ前記設定された第２の電子マネー機能ＩＤ情報により特定可能な携帯端末を登録しておくデータベースをさらに備え、前記ポイント管理ＩＤ情報で管理されるポイントを、電子マネーに変換する情報処理システムで使用する情報処理装置であって、前記ポイント管理装置から、当該ポイント管理装置にアクセスした携帯端末に付与されている第２の電子マネー機能ＩＤ情報と入力されたポイント管理ＩＤ情報とを対応付けて受領するＩＤ情報受領手段と、前記ＩＤ情報受領手段で受領した第２の電子マネー機能ＩＤ情報とポイント管理ＩＤ情報を基に、前記データベースに登録されているポイント管理ＩＤ情報を検索することにより、前記ＩＤ情報受領手段で受領した第２の電子マネー機能ＩＤ情報と前記データベースに登録されている第１の電子マネー機能ＩＤ情報とをポイント管理ＩＤ情報を介して互いに紐付ける紐付け手段と、前記第１の電子マネー機能ＩＤ情報で特定され、電子マネー処理機能を用いることにより新たに発生したポイント数と、前記第２の電子マネー機能ＩＤ情報で特定され、電子マネー処理機能を用いることにより新たに発生したポイント数とを、前記紐付け手段で互いに紐付けられた当該ポイント管理ＩＤ情報ごとに統合して、前記通信機能により、前記ポイント管理装置に送信することを特徴とする情報処理装置を提供する。